【手続補正書】
【提出日】平成16年9月1日(2004.9.1)
【手続補正１】
【補正対象書類名】明細書
【補正対象項目名】特許請求の範囲
【補正方法】変更
【補正の内容】
【特許請求の範囲】
【請求項１】
［３−（２−クロロ−４−メチルスルホニルベンゾイル）−４−フェニルチオ］ビシクロ［３．２．１］オクト−３−エン−２−オンと３−クロロ−５−（４，６−ジメトキシピリミジン−２−イルカルバモイルスルファモイル）−１−メチルピラゾール−４−カルボン酸メチルとを有効成分として含有することを特徴とする水田用除草剤組成物。
【手続補正２】
【補正対象書類名】明細書
【補正対象項目名】０００１
【補正方法】変更
【補正の内容】
【０００１】
【発明の属する技術分野】
本発明は２種類の除草活性化合物を併用する水田用除草剤組成物に関する。より詳しくいえば、［３−（２−クロロ−４−メチルスルホニルベンゾイル）−４−フェニルチオ］ビシクロ［３．２．１］オクト−３−エン−２−オンと３−クロロ−５−（４，６−ジメトキシピリミジン−２−イルカルバモイルスルファモイル）−１−メチルピラゾール−４−カルボン酸メチルとを有効成分として含む相乗的作用効果を示す薬剤組成物であって、水稲に対する薬害が少なく、少量の施用量で水田中の雑草を枯死に至らしめる水田用除草剤組成物に関する。
【手続補正３】
【補正対象書類名】明細書
【補正対象項目名】０００３
【補正方法】変更
【補正の内容】
【０００３】
本発明者らは、先に、水田用除草剤として使用したとき、稲に対する安全性が高く、かつ特にカヤツリグサ科の雑草種に対して長期にわたり卓越した効果を示す［３−（２−クロロ−４−メチルスルホニルベンゾイル）−４−フェニルチオ］ビシクロ［３．２．１］オクト−３−エン−２−オン（以下、「化合物Ａ」という。）を提案している（特開平6-25144号公報）。しかし、この化合物は、生育の進んだ多年生広葉雑草やノビエに対しては必ずしも十分満足できる効果が期待できないことがある。
【手続補正４】
【補正対象書類名】明細書
【補正対象項目名】０００７
【補正方法】変更
【補正の内容】
【０００７】
すなわち、本発明は、第一成分としての［３−（２−クロロ−４−メチルスルホニルベンゾイル）−４−フェニルチオ］ビシクロ［３．２．１］オクト−３−エン−２−オンと、第２成分としての３−クロロ−５−（４，６−ジメトキシピリミジン−２−イルカルバモイルスルファモイル）−１−メチルピラゾール−４−カルボン酸メチルとを有効成分として含有することを特徴とする水田用除草剤組成物に関する。
【手続補正５】
【補正対象書類名】明細書
【補正対象項目名】０００８
【補正方法】変更
【補正の内容】
【０００８】
水田雑草の防除は、対象となる雑草が稲と同種の単子葉植物であるか双子葉植物であるかの違い、一年生、越年生、多年生等の生育期間や種子、宿根、塊茎、球根等繁殖手段、態様の違いなど、生物学的な区分の相違の他、生物学的には同種であっても、繁殖力が強いものやそれ程でもないもの、駆逐容易な雑草と難防除性の雑草等の除草剤に対する抵抗性の違い、稲作に対する障害性の高い雑草とそうでないもの等種々雑多であり、更には、地理的に南北に長く、また、中央脊梁山脈の東西にて夏の雨量や冬期の積雪量が大幅に異なり、沖積土壌、火山性土壌等、稲作についての各種の地理的条件、気候等の自然条件が複雑なことに加え、歴史的な経過により長い間に防除すべき雑草の種類にも変化があり、例えば、以前には強害雑草として問題視されていたものでも、その後の優れた除草剤の開発により現在では容易に駆除できるようになったもの、あるいは逆に水稲自体やその栽培法の改良及び使われる除草剤の変化による草種間競合の結果、拮抗する草種が駆逐されたために繁茂して強害雑草化するようになったもの等様々である。いずれにしても、多種多様な環境にある雑草を全て単一の成分にて完全に防除することは実質的には不可能である。従って、咋今の我国の標準的な稲作における水田雑草の防除では、田植前または直後における一部のものを除いて殆どの場合、防除すべき雑草に狙いを絞り、省力化、コスト低減、安全性、環境保全その他の要求に合せて、作用、効力の異なる数種の成分を組合せた除草剤を使用するのが一般的である。優れた除草剤を開発するにあたっては、どのような成分をどのように組合せるかが重要であるが、たとえある程度の効果が判っている成分どうしの組合せであっても、その組合せによって当初期待された効果が得られるか否かは定かではなく、時として相加的な効果ではなく、むしろ相殺的な結果が得られることも少なくないのが現実である。
【手続補正６】
【補正対象書類名】明細書
【補正対象項目名】００１３
【補正方法】変更
【補正の内容】
【００１３】
本発明では、これら２つの除草剤成分のほかに、場合によっては他の除草剤（第三成分）を混合させても良い。好ましい第三成分の具体例を挙げれば下記の通りである。
（１）プレチラクロール：２−クロロ−２′，６′−ジエチル−Ｎ−（２−プロポキシエチル）アセトアニリド、（２）テニルクロール：２−クロロ−Ν−（３−メトキシ−２−チエニル）−メチル−２′，６′−ジメチルアセトアニリド、（３）メフェナセット：２−べンゾチアゾール−２−イルオキシ−Ｎ−メチルアセトアニリド、（４）エトベンザニド：２′，３′−ジクロロ−４−エトキシメトキシベンズアニリド、（５）フェントラザミド：４−（２−クロロフェニル）−Ν−シクロヘキシル−４，５−ジヒドロ−Ν−エチル−５−オキソ−１Η−テトラゾール−１−カルボキシアミド、（６）オキサジクロメホン：３−［１−（３，５−ジクロロフェニル）−１−メチルエチル］−２，３−ジヒドロ−６−メチル−５−フェニル−４Η−１，３−オキサジン−４−オン、（７）シハロホップブチル：ｎ−ブチル（Ｒ）−２−（４−（２−フルオロ−４−シアノフェノキシ）フェノキシ）プロピオネート、（８）カフェンストロール：１−（ジエチルカルバモイル）−３−（２，４，６−トリメチルフェニルスルホニル）−１，２，４−トリアゾール、（９）インダノファン：２−［２−（３−クロロフェニル）−２，３−エポキシプロピル］−２−エチルインダン−１，３−ジオン、（１０）シンメチリン：エキソ−（±）−１−メチル−４−（１−メチルエチル）−２−［（２−メチルフェニル）メトキシ］−７−オキサビシクロ［２．２．１］ヘプタン、（１１）ピリミノバックメチル：メチル−２−［（４，６−ジメトキシピリミジン−２−イル）オキシ］−６−［１−（メトキシイミノ）エチル］ベンゾエート、（１２）ベンチオカーブ：Ｓ−（４−クロロベンジル）−Ν，Ν−ジエチルチオカーバメート、（１３）ピリブチカルブ：Ｏ−３−tert−ブチルフェニル ６−メトキシ−２−ピリジル（メチル）チオカーバメート、（１４）ジメピペレート：Ｓ−（１−メチル−１−フェニルエチル）−１−ピペリジンカルボチオエート、（１５）エスプロカルブ：Ｓ−べンジル １，２−ジメチルプロピル（エチル）チオカーバメート、（１６）モリネート：Ｓ−エチルヘキサヒドロ−１Ｈ−アゼピン−１−カーボチオエート、（１７）ブタミホス：Ｏ−エチルＯ−（２−メチル−５−ニトロフェニル）セカンダリーブチルホスホロアミドチオエート、（１８）アニロホス：Ｓ−［Ｎ−（４−クロロフェニル）−Ν−イソプロピルカルバモイルメチル］−Ｏ，Ｏ−ジメチルジチオホスファート、（１９）ペントキサゾン：３−Ｎ−（２−フルオロ−４−クロロ−シクロペンチルオキシフェニル）−５−イソプロピリデン−１，３−オキサゾリジン−２，４−ジオン、（２０）オキサジアルギル：３−［２，４−ジクロル−５−（２−プロピニルオキシ）フェニル］−５−（１，１−ジメチルエチル）−１，３，４−オキサジアゾール−２（３Ｈ）−オン、（２１）ビフェノックス：２，４−ジクロロフェニル−３−カルボメトキシ−４−ニトロフェニルエーテル、（２２）シメトリン：２，４−ビス（エチルアミノ）−６−メチルチオ−１，３，５−トリアジン、（２３）ジメタメトリン：２−メチルチオ−４−エチルアミノ−６−(１′,２′−ジメチルプロピルアミノ)−Ｓ−トリアジン。これらの化合物の内、少なくとも１種類の化合物を混合することにより、一層幅広い殺草スペクトラムが得られ、かつ除草剤の使用適期が広がる。
【手続補正７】
【補正対象書類名】明細書
【補正対象項目名】００１４
【補正方法】変更
【補正の内容】
【００１４】
例えば、本発明における除草剤組成物は、雑草の生育が進んだ時期での薬剤処理において、ノビエ等の除草効果が不十分になる場合がある。このため、例えば上述で示した第三成分の内、プレチラクロール、テニルクロール、メフェナセット、エトベンザニド、フェントラザミド、オキサジクロメホン、シハロホップブチル、カフェンストロール、インダノファン、シンメチリン、ピリミノバックメチル、ベンチオカーブ、モリネート、アニロホスから選ばれる１種類あるいはそれ以上を加えることにより、水稲に対し薬害を示さず、１回の薬剤散布だけで、幅広い雑草の生育時期における薬剤処理が可能となる。その結果、水稲生育に関する雑草害をなくし、安定した収量を確保するだけに留まらず、次年度の雑草の発生量を抑えると共に薬剤処理に関わる作業コストを低減化することが可能となる。
【手続補正８】
【補正対象書類名】明細書
【補正対象項目名】００１５
【補正方法】変更
【補正の内容】
【００１５】
また、第三成分としてシハロホップブチルおよび／またはピリミノバックメチルを追加混合した際に、場合によっては薬剤処理後に後次発生するノビエに対し十分な持続効果が期待できないことがあり、これら第一、第二、第三成分に加え第四成分としてプレチラクロール、テニルクロール、メフェナセット、エトベンザニド、フェントラザミド、カフェンストロール、インダノファン、ベンチオカーブ、ピリブチカルブ、ジメピペレート、エスプロカルブ、ペントキサゾン、オキサジアルギル等の発芽抑制効果のある除草剤分を加えてもよい。
【手続補正９】
【補正対象書類名】明細書
【補正対象項目名】００３０
【補正方法】変更
【補正の内容】
【００３０】
【実施例】
以下、本発明を実施例（配合例、試験例）によりさらに具体的に説明するが、本発明における化合物、製剤量、剤形等はこれらのみに限定されるものではない。以下の説明において化合物Ａは［３−（２−クロロ−４−メチルスルホニルベンゾイル）−４−フェニルチオ］ビシクロ［３．２．１］オクト−３−エン−２−オンを、化合物Ｂは３−クロロ−５−（４，６−ジメトキシピリミジン−２−イルカルバモイルスルファモイル）−１−メチルピラゾール−４−カルボン酸メチルを意味する。なお、「部」は全て重量部を意味する。
【手続補正１０】
【補正対象書類名】明細書
【補正対象項目名】００３２
【補正方法】変更
【補正の内容】
【００３２】
配合例２：粒剤
【表２】
1999079910.tif 000001
上記配合成分を均一に混合粉砕した後少量の水を加えて撹拌混合捏和し、押し出し式造粒機で造粒し、乾燥して粒剤にした。